(57)【要約】【課題】軸受けの長寿命化を図ることができるモールド電動機を提供することを目的としている。【解決手段】固定子鉄心１に絶縁体２を介して駆動コイル３を巻装した固定子４と、電子部品５を実装したプリント基板６と、前記固定子４と前記プリント基板６とを樹脂７で一体成形したモールド固定子８と、固定子鉄心１に対向して回転可能に保持された磁石回転子９と、磁石回転子９の中心を通る回転軸１０と、回転軸１０を保持する軸受け１１と、前記モールド固定子８に圧入され前記軸受け１１を保持する鋼板のブラケット１２からなる電動機において、前記ブラケット１２の反対側の樹脂７で一体成形された軸受け保持部１３の近傍に軸方向の溝１４を設けた構造とする。【選択図】図１
2009278821.tif 000002
【特許請求の範囲】
【請求項１】
固定子鉄心に絶縁体を介して駆動コイルを巻装した固定子と、電子部品を実装したプリント基板と、前記固定子と前記プリント基板とを樹脂で一体成形したモールド固定子と、前記固定子鉄心に対向して回転可能に保持された磁石回転子と、前記磁石回転子の中心を通る軸と、前記軸を保持する軸受けと、前記モールド固定子に圧入され前記軸受けを保持する鋼板のブラケットからなる電動機であって、前記ブラケットの反対側の樹脂で一体成形された軸受け保持部の近傍に軸方向の溝を設けたことを特徴とするモールド電動機。
【請求項２】
前記溝は、前記軸を中心にした円形の形状である請求項１記載のモールド電動機。
【請求項３】
前記溝は、前記軸を中心にして円弧状に複数個設けた請求項１記載のモールド電動機。
【請求項４】
前記溝をモールド固定子の外郭側に設けた請求項２または請求項３記載のコンデンサ電動機。
【請求項５】
前記溝を磁石回転子側に設けた請求項２または請求項３記載のコンデンサ電動機。
【請求項６】
前記溝をモールド固定子の外郭側と磁石回転子側との両方に設けた請求項２または請求項３記載のコンデンサ電動機。
【請求項７】
請求項１〜６いずれかに記載のモールド電動機を搭載した換気送風装置。
【発明の詳細な説明】
【技術分野】
【０００１】
本発明は主に電気機器に搭載される樹脂で一体成形したモールド電動機に関する。
【背景技術】
【０００２】
従来、この種の電動機においては、固定子をモールド成形した電動機が知られている（例えば特許文献１参照）。
【０００３】
以下、その電動機について、図７を参照しながら説明する。
【０００４】
図７に示すように、固定子１０１に電子部品１０２を実装したプリント基板１０３が装着され、樹脂により一体成形により、外郭の背面が平らな構造のモールド電動機１０４としていた。
【特許文献１】特開２００５―９４８４１号公報
【発明の開示】
【発明が解決しようとする課題】
【０００５】
このような従来のモールド電動機では、発熱する電子部品により樹脂を通して熱が伝わり、軸受けが発熱するため、軸受けのグリスの劣化など長寿命化に課題があり、モールド電動機の長寿命化が難しいという課題があった。
【０００６】
本発明は、このような従来の課題を解決するものであり、軸受けの長寿命化を図ることができるモールド電動機を提供することを目的としている。
【課題を解決するための手段】
【０００７】
本発明は、上記課題を解決するために、固定子鉄心に絶縁体を介して駆動コイルを巻装した固定子と、電子部品を実装したプリント基板と、前記固定子と前記プリント基板とを樹脂で一体成形したモールド固定子と、前記固定子鉄心に対向して回転可能に保持された磁石回転子と、前記磁石回転子の中心を通る軸と、前記軸を保持する軸受けと、前記モールド固定子に圧入され前記軸受けを保持する鋼板のブラケットからなる電動機において、前記ブラケットの反対側の樹脂で一体成形された軸受け保持部の近傍に軸方向の溝を設けたものである。
【０００８】
この手段により、軸受けの長寿命化を図ることができるモールド電動機が得られる。
【発明の効果】
【０００９】
本発明によれば、固定子鉄心に絶縁体を介して駆動コイルを巻装した固定子と、電子部品を実装したプリント基板と、前記固定子と前記プリント基板とを樹脂で一体成形したモールド固定子と、前記固定子鉄心に対向して回転可能に保持された磁石回転子と、前記磁石回転子の中心を通る軸と、前記軸を保持する軸受けと、前記モールド固定子に圧入され前記軸受けを保持する鋼板のブラケットからなる電動機において、前記ブラケットの反対側の樹脂で一体成形された軸受け保持部の近傍に軸方向の溝を設けることにより、軸受けの長寿命化を図ることができるという効果のあるモールド電動機を提供できる。
【発明を実施するための最良の形態】
【００１０】
本発明の第１の発明は、固定子鉄心に絶縁体を介して駆動コイルを巻装した固定子と、電子部品を実装したプリント基板と、前記固定子と前記プリント基板とを樹脂で一体成形したモールド固定子と、前記固定子鉄心に対向して回転可能に保持された磁石回転子と、前記磁石回転子の中心を通る軸と、前記軸を保持する軸受けと、前記モールド固定子に圧入され前記軸受けを保持する鋼板のブラケットからなる電動機において、前記ブラケットの反対側の樹脂で一体成形された軸受け保持部の近傍に軸方向の溝を設けることにより、発熱する電子部品と軸受け保持部の間に、熱伝導率の極めて低い空気層を入れることができるため、軸受け保持部への熱の伝導を低下させ、軸受けの発熱を防ぎ、軸受けの長寿命化できるという作用を有する。
【００１１】
また、第２の発明は、溝を円形の形状とすることにより、軸受け保持部が空気層に３６０度を囲まれるため、軸受け保持部への熱の伝導を低下させ、軸受けの発熱を防ぎ、軸受けの長寿命化できるという作用を有する。
【００１２】
また、第３の発明は、溝を円弧状に複数個設けることにより、樹脂で一体成形された軸受け保持部の機械的強度を高めることができるという作用を有する。
【００１３】
また、第４の発明は、溝をモールド固定子の外郭側に設けることにより、軸受け保持部の熱をモールド電動機の外側に放出し、軸受けの発熱を防ぎ、軸受けの長寿命化できるという作用を有する。
【００１４】
また、第５の発明は、溝を磁石回転子側に設けることにより、外郭の背面に凹凸をなくし、デザイン性に優れるという作用を有する。
【００１５】
また、第６の発明は、溝をモールド固定子の外郭側と磁石回転子側との両方に設けることにより、発熱する電子部品と軸受け保持部との樹脂の熱伝達経路を長くでき、軸受け保持部への熱の伝導を更に低下させ、軸受けの長寿命化できるという作用を有する。
【００１６】
また、本モールド電動機を換気送風装置に搭載することにより、換気送風装置の長寿命化ができるという作用を有する。
【００１７】
以下、本発明の実施の形態について図面を参照しながら説明する。
【００１８】
（実施の形態１）
本発明の第１の実施の形態について、図１〜図６を参照しながら説明する。
【００１９】
図１〜図６に示すように、本実施の形態によるモールド電動機１５は次のような構成である。すなわち、固定子４は、固定子鉄心１に絶縁体２を介して駆動コイル３を巻装したものである。プリント基板６には電子部品５を実装し、固定子４と前記プリント基板６とを樹脂７で一体成形してモールド固定子８を形成する。（このモールド固定子８の樹脂７部分には、磁石回転子９の軸受け１１を挿入する軸受け保持部が設けられている。）磁石回転子９は、回転軸１０を中心に固定子鉄心１に対向して回転可能に保持されている。回転軸１０には、回転軸１０を保持する軸受け１１が２ヶ所に設けられ、一方の軸受け１１を設けた端部を樹脂モールドされたモールド固定子８の所定位置（軸受け保持部）に挿入される。さらに反対側の軸受け１１は、鋼板のブラケット１２によって、モールド固定子８に保持されている。ブラケット１２の回転軸１０方向の反対側の樹脂７部分には、軸受け保持部１３の近傍に軸方向の溝１４を設けている。この溝１４は、軸受け１１の周囲を囲むようにモールド固定子８の外郭側に設けている。
【００２０】
このような構成のモールド電動機１５を駆動すると、プリント基板６において発熱することになるが、この発生した熱は、溝１４でできた空間によって軸受け１１に伝わりにくくなる。すなわち、軸受け１１が高温になることを防いで、グリスの劣化速度を低減し、その結果、軸受け１１の長寿命化を図ることができるという効果のあるモールド電動機１５を提供できる。
【００２１】
また、溝１４は、モールド固定子８の外郭側に設けているので、軸受け保持部１３の熱をモールド電動機１５の外側に放出し、軸受け１１に熱が篭ることを防ぎ、軸受け１１の長寿命化できるという作用を有する。
【００２２】
また、図３に示すように、溝１４ａは、回転軸１０を中心とした円形の形状としている。このような構成によれば、軸受け保持部１３が空気層に３６０度囲まれるため、軸受け保持部１３への熱の伝導を低下させ、軸受け１１の発熱を防ぎ、軸受け１１の長寿命化できるという作用を有する。
【００２３】
また、図４に示すように、溝１４ｂは、回転軸１０を中心として円弧状に複数個設けてもよい。この構成によれば、樹脂７で一体成形された軸受け保持部１３の機械的強度を高めることができる。
【００２４】
また、図５に示すように、溝１４ｄは、磁石回転子９側に設けてもよい。このような構成によれば、外郭の背面１６に凹凸をなくし、デザイン性に優れたものとなる。
【００２５】
また、図６に示すように、溝１４ｅをモールド固定子８の外郭側と磁石回転子９側との両方に設けることにより、発熱する電子部品５と軸受け保持部１３との樹脂７の熱伝達経路を長くでき、軸受け保持部１３への熱の伝導を更に低下させ、軸受け１１の長寿命化できるという作用を有する。
【産業上の利用可能性】
【００２６】
本発明にかかるモールド電動機は、発熱する電子部品から軸受け保持部への熱の伝導を低下させ、軸受けの発熱を防ぎ、軸受けの長寿命化できるため、換気装置などの小風量機器の搭載や、ファンモータへの搭載が有用である。
【図面の簡単な説明】
【００２７】
【図１】本発明の実施の形態１の軸受け保持部の近傍に軸方向の溝を設けたモールド電動機の断面図
【図２】同固定子の正面図
【図３】同モールド電動機の溝を円形の形状としたことを示す背面図
【図４】同モールド電動機の溝を円弧状に複数個設ける形状としたことを示す背面図
【図５】同モールド電動機の溝を磁石回転子側に設けたことを示す断面図
【図６】同モールド電動機の溝をモールド固定子の外郭側と磁石回転子側との両方に設けたことを示す断面図
【図７】従来の外郭の背面が平らな構造のモールド電動機の断面図
【符号の説明】
【００２８】
１      固定子鉄心
２      絶縁体
３      駆動コイル
４      固定子
５      電子部品
６      プリント基板
７      樹脂
８      モールド固定子
９      磁石回転子
１０    回転軸
１１    軸受け
１２    ブラケット
１３    軸受け保持部
１４    溝
１４ａ  溝
１４ｂ  溝
１４ｄ  溝
１４ｅ  溝
１５    モールド電動機
１６    背面
【図１】
2009278821.tif 000003
【図２】
2009278821.tif 000004
【図３】
2009278821.tif 000005
【図４】
2009278821.tif 000006
【図５】
2009278821.tif 000007
【図６】
2009278821.tif 000008
【図７】
2009278821.tif 000009